(57)【要約】      （修正有）【課題】施工作業を容易にすると共に施工コストを低減しつつ、地震等による固定部材に直交する方向のせん断応力による固定部材の破断可能性を低減させることで、接合片部の移動を防止し、管の変形又は破断可能性を低減させることを可能とある接合部構造を提供する。【解決手段】接合部材１１及び被接合部材１２に夫々形成された接合片部１３に設けられた固定用孔部１４を介して、固定部材１５により上記各接合片部１３を固定する接合部固定構造において、上記固定用孔部１４に挿通配置されると共に上記固定部材１５が内部に挿通される管状部材１６を備える。【選択図】図２
2013147906.tif 000002
【特許請求の範囲】
【請求項１】
接合部材及び被接合部材に夫々形成された接合片部に設けられた固定用孔部内を介して、固定部材により上記各接合片部を固定する接合部固定構造において、
上記固定用孔部内に挿通配置されると共に上記固定部材が内部に挿通される管状部材を備えたことを特徴とする被接合部材の接合部構造。
【請求項２】
上記複数の被接合部材は管体であると共に上記接合片部は管体に設けられた
フランジ部であって、上記固定部材は上記管状部材に挿通されるボルトと、上記ボルトをフランジ部に固定するナットであることを特徴とする請求項１記載の被接合部材の接合部構造。
【請求項３】
上記管状部材は、上記一対のフランジ部の厚さ寸法と同一の長さ寸法を有する管部と、上記管部の軸方向の一端部に形成された環状フランジ部とを有し、上記ボルトは上記フランジ部の平面方向に対して直交して配置されることを特徴とする請求項２記載の被接合部材の接合部構造。
【請求項４】
上記管状部材は金属製であることを特徴とする請求項３記載の被接合部材の接合部構造。
【発明の詳細な説明】
【技術分野】
【０００１】
本発明は、管体に設けられたフランジ部の接合部構造の改良に関する。
【背景技術】
【０００２】
一般に、管等の接合部材及び被接合部材を接合する場合、接合部材及び被接合部材に夫々形成されたフランジ部等の接合片部に設けられた固定用孔部内を介して、ボルト及びナット等の固定部材により上記各接合片部を固定する接合部固定構造が使用されている。
【０００３】
ここで、管の変形又は破断可能性を低減させるための接合部固定構造として、例えば特許文献１（特開２００５−１４７２４３号公報）に記載された接合部固定構造が提案されている。
【０００４】
そして、特許文献１には、接合部材である管の端部に形成された接合片部であるフランジ部、及び、被接合部材であるバルブの接合片部であるフランジ部とが、同心円上に配設されたボルト及びナット等の複数の固定部材で固定され、前記固定部材の間で前記接合片部を取り囲み、かつ、バルブの接合片部であるフランジ部の端面に当接する内周面を有する複数の補強治具と、前記固定部材よりも内周側で前記補強治具に螺合されて前記管の接合片部に当接するボルトを有することを特徴とする接合部固定構造が開示されている。
【０００５】
上記接合部固定構造は、接合部材等である管の端部に形成された接合片部であるフランジ部と、バルブの接合片部であるフランジ部とが、同心円上に配設されたボルト及びナット等の複数の固定部材で固定され、さらにその固定部が補強治具により固定部材よりも内周側で締付けられるので、接合部に地震などによる大きな荷重が作用した場合でも接合片部であるフランジ部の変形又は破断可能性を低減させることができる。
【０００６】
しかしながら、特許文献１に係る接合部固定構造においては、固定部材であるボルト及びナットの締結力で接合片部であるフランジ部を固定しているから、地震等が発生し、ボルト部分に、ボルトに直交する方向のせん断応力が働き、ボルトが破断した場合には、上記ボルト及びナットの締結力が解除され、その結果、接合片部であるフランジ部が移動し、管の変形又は破断が生じるという不具合がある。
【０００７】
また、特許文献１に係る接合部固定構造においては、フランジ部等の接合片部に複数の補強治具を打ち込むものであり、複数の補強治具を打ち込む作業は施工作業上煩雑であると共に、施工コストを増大させるという不具合がある。
【特許文献１】特開２００５−１４７２４３号
【発明の開示】
【発明が解決しようとする課題】
【０００８】
本発明はこのような従来からの不具合を解決するためのものであって、その課題は、施工作業を容易にすると共に施工コストを低減しつつ、地震等による固定部材に直交する方向のせん断応力による固定部材の破断可能性を低減させることで、接合片部の移動を防止し、管の変形又は破断可能性を低減させることを可能とある接合部構造を提供することにある。
【課題を解決するための手段】
【０００９】
上記課題達成のため、請求項１記載の発明にあっては, 接合部材及び被接合部材に夫々形成された接合片部に設けられた固定用孔部内を介して、固定部材により上記各接合片部を固定する接合部固定構造において、上記固定用孔部内に挿通配置されると共に上記固定部材が内部に挿通される管状部材を備えたことを特徴とする。
【００１０】
従って、請求項１記載の発明にあっては、上記固定用孔部内に挿通配置されると共に上記固定部材が内部に挿通される管状部材を備えていることから、上記固定用孔部内に管状部材を挿通配置した状態で、固定部材を管状部材の内部に挿通させるのみの簡易な施工により、管状部材による補強効果が得られる。これにより、固定部材に働くせん断応力が低減し、固定部材の破断可能性を低減させることができる。
【００１１】
また、請求項２記載の発明にあっては、上記複数の被接合部材は管体であると共に上記接合片部は管体に設けられたフランジ部であって、上記固定部材は上記管状部材に挿通されるボルトと、上記ボルトをフランジ部に固定するナットであることを特徴とする。
【００１２】
従って、請求項２記載の発明にあっては、上記複数の被接合部材は管体であると共に上記接合片部は管体に設けられたフランジ部であって、上記固定部材は上記管状部材に挿通されるボルトと、上記ボルトをフランジ部に固定するナットであることを特徴とすることから、上記固定用孔部内に管状部材を挿通配置した状態で、固定部材であるボルトを管状部材の内部に挿通させるのみの簡易な施工により、管状部材による補強効果が得られる。これにより、固定部材であるボルトに働くせん断応力が低減し、固定部材であるボルトの破断可能性を低減させることができる。
【００１３】
また、請求項３記載の発明にあっては、上記管状部材は、上記一対のフランジ部の厚さ寸法と同一の長さ寸法を有する管部と、上記管部の軸方向の一端部に形成された環状フランジ部とを有し、上記ボルトは上記フランジ部の平面方向に対して直交して配置されることを特徴とする。
【００１４】
従って、請求項３記載の発明にあっては、上記管状部材は、上記一対のフランジ部の厚さ寸法と同一の長さ寸法を有する管部と、上記管部の軸方向の一端部に形成された環状フランジ部とを有し、上記ボルトは上記フランジ部の平面方向に対して直交して配置されることを特徴とすることから、上記固定用孔部内に管状部材を挿通配置した状態で、上記環状フランジ部中央の孔部を介して、上記固定部材であるボルトを管状部材の内部に挿通させるのみの簡易な施工により、固定用孔部全域にわたって、管状部材による補強効果が得られる。これにより、固定部材であるボルトに働くせん断応力が上記固定用孔部全域にわたって低減し、固定部材であるボルトの破断可能性をより低減させることができる。
【００１５】
また、請求項４記載の発明にあっては、上記管状部材は金属製であることを特徴とする。
【００１６】
従って、請求項４記載の発明にあっては、上記管状部材は金属製であることを特徴とすることから、強度の高い金属を管状部材に採用し、上記固定用孔部内に管状部材を挿通配置した状態で、上記環状フランジ部中央の孔部を介して、上記固定部材であるボルトを管状部材の内部に挿通させるのみの簡易な施工により、固定用孔部全域にわたって、管状部材のより強力な補強効果が得られる。これにより、固定部材であるボルトに働くせん断応力が固定用孔部全域にわたって低減し、固定部材であるボルトの破断可能性をより低減させることができる。
【発明の効果】
【００１７】
請求項１記載の発明に係る接合部構造においては、上記固定用孔部内に挿通配置されると共に上記固定部材が内部に挿通される管状部材を備えていることから、上記固定用孔部内に管状部材を挿通配置した状態で、固定部材を管状部材の内部に挿通させるのみの簡易な施工により、管状部材による補強効果が得られる。これにより、固定部材に働くせん断応力が低減し、固定部材の破断可能性を低減させることができる。固定部材が破断しない場合、ボルト及びナットの締結力が維持され、接合片部の移動が防止され、管の変形又は破断可能性が低減する。
その結果、施工作業を容易にすると共に施工コストを低減しつつ、管の変形又は破断可能性を低減させることが可能である接合部構造を提供することができる。
【００１８】
また、請求項２記載の発明に係る接合部構造においては、上記複数の被接合部材は管体であると共に上記接合片部は管体に設けられたフランジ部であって、上記固定部材は上記管状部材に挿通されるボルトと、上記ボルトをフランジ部に固定するナットであることを特徴とすることから、上記固定用孔部内に管状部材を挿通配置した状態で、固定部材であるボルトを管状部材の内部に挿通させるのみの簡易な施工により、管状部材による補強効果が得られる。これにより、固定部材であるボルトに働くせん断応力が低減し、固定部材であるボルトの破断可能性を低減させることができる。
固定部材であるボルトが破断しない場合、ボルト及びナットの締結力が維持され、接合片部であるフランジ部の移動が防止され、管の変形又は破断可能性が低減する。
その結果、施工作業を容易にすると共に施工コストを低減しつつ、管の変形又は破断可能性を低減させることが可能である接合部構造を提供することができる。
【００１９】
また、請求項３記載の発明に係る接合部構造においては、上記管状部材は、上記一対のフランジ部の厚さ寸法と同一の長さ寸法を有する管部と、上記管部の軸方向の一端部に形成された環状フランジ部とを有し、上記ボルトは上記フランジ部の平面方向に対して直交して配置されることを特徴とすることから、上記固定用孔部内に管状部材を挿通配置した状態で、上記環状フランジ部中央の孔部を介して、上記固定部材であるボルトを管状部材の内部に挿通させるのみの簡易な施工により、固定用孔部全域にわたって、管状部材による補強効果が得られる。これにより、固定部材であるボルトに働くせん断応力が固定用孔部全域にわたって低減し、固定部材であるボルトの破断可能性をより低減させることができる。
固定部材であるボルトが破断しない場合、ボルト及びナットの締結力が維持され、接合片部であるフランジ部の移動が防止され、管の変形又は破断可能性が低減する。
その結果、施工作業を容易にすると共に施工コストを低減しつつ、管の変形又は破断可能性を低減させることが可能である接合部構造を提供することができる。
【００２０】
また、請求項４記載の発明に係る接合部構造においては、上記管状部材は金属製であることを特徴とすることから、上記固定用孔部内に管状部材を挿通配置した状態で、上記環状フランジ部中央の孔部を介して、上記固定部材であるボルトを管状部材の内部に挿通させるのみの簡易な施工により、固定用孔部全域にわたって、管状部材のより強力な補強効果が得られる。これにより、固定部材であるボルトに働くせん断応力が固定用孔部全域にわたって低減し、固定部材であるボルトの破断可能性をより低減させることができる。
固定部材であるボルトが破断しない場合、ボルト及びナットの締結力が維持され、接合片部であるフランジ部の移動が防止され、管の変形又は破断可能性が低減する。
その結果、施工作業を容易にすると共に施工コストを低減しつつ、管の変形又は破断可能性を低減させることが可能である接合部構造を提供することができる。
【図面の簡単な説明】
【００２１】
【図１】本発明に係る接合部構造の一実施の形態を示す斜視図である。
【図２】本発明に係る接合部構造の一実施の形態を示す断面図である。
【図３】本発明に係る接合部構造の一実施の形態を示し、固定用孔部内に管状部材を挿通配置させる状態、及び、上記環状フランジ部中央の孔部を介して固定部材を管状部材の内部に挿通させる状態を示す斜視図である。
【発明を実施するための最良の形態】
【００２２】
以下、添付図面に示す実施の形態に基づき、本発明に係る接合部構造を詳細に説明する。
【００２３】
図１乃至図３に示すように、本発明に係る接合部構造１０は、接合部材１１及び被接合部材１２に夫々形成された接合片部１３に設けられた固定用孔部１４内を介して、固定部材１５により上記各接合片部１３を固定する接合部固定構造であって、上記固定用孔部１４内に挿通配置されると共に上記固定部材１５が内部に挿通される管状部材１６を備えるように構成されている。
【００２４】
図１乃至図３に示すように、本発明に係る接合部構造１０においては、上記複数の被接合部材１２は管体１２aであると共に、上記接合片部１３は管体１２aに設けられたフランジ部１３aであって、上記固定部材１５は上記管状部材１６に挿通されるボルト１５aと、上記ボルト１５aをフランジ部１３aに固定するナット１５bにより構成されている。
【００２５】
図１乃至図３に示すように、本発明に係る接合部構造１０においては、上記管状部材１６は、上記一対のフランジ部１７の厚さ寸法Lと同一の長さ寸法を有する管部１８と、上記管部１８の軸方向の一端部１９に形成された環状フランジ部２０とを有し、上記ボルト１５aは上記フランジ部１３aの平面方向に対して直交して配置されるように構成されている。
【００２６】
図１乃至図３に示された本発明に係る接合部構造１０においては、上記管状部材１６は金属製である。
【００２７】
以下、本実施例に係る接合部構造の作用の説明は本実施の形態で添付図面を用いて説明する。
【００２８】
図１に示すように、接合部材１１と被接合部材１２とを接合する場合には、上記フランジ部１３aに開設された複数の固定用孔部１４内、夫々に、管状部材１６及びボルト１５aを挿通し、ナット１５bにより夫々のボルト１５aをフランジ部１３aに固定する。
これにより、接合部材１１及び被接合部材１２に夫々形成されたフランジ部１３aが締結固定され、接合部材１１と被接合部材１２が接合される。
【００２９】
図１乃至図３に示すように、本実施の形態に係る接合部構造１０においては、上記管状部材１６は、接合部材１１におけるフランジ部１３aと、被接合部材１２におけるフランジ部１３aとから形成される一対のフランジ部１７の厚さ寸法Lと同一の長さ寸法を有する管部１８と、上記管部１８の軸方向の一端部１９に形成された環状フランジ部２０とを有していることから、上記固定用孔部１４内に管状部材１６を挿通配置した状態で、上記環状フランジ部２０中央の孔部２１を介して、上記ボルト１５aが上記フランジ部１３aの平面方向に対して直交して配置され、ナット１５bにより上記ボルト１５aをフランジ部１３aに固定する。
【００３０】
上記固定用孔部１４内に管状部材１６を挿通配置するという簡易な施工により、管状部材１６による補強効果が得られる。これにより、固定部材１５であるボルト１５aに働くせん断応力が管状部材１６により受け止められることにより、ボルト１５aには直接作用せず、固定部材１５であるボルト１５aの破断可能性を低減させることができる。
その結果、一対のフランジ部１７を形成する、接合部材１１におけるフランジ部１３aと、被接合部材１２におけるフランジ部１３aとの相対移動が防止され、管体１２aの変形又は破断の可能性を低減することができる。
【００３１】
その結果、施工作業を容易にすると共に施工コストを低減しつつ、管の変形又は破断可能性を低減させることが可能である接合部構造を提供することができる。
【産業上の利用可能性】
【００３２】
本発明は管等におけるフランジ部等の接合片部をボルト及びナット等の固定部材によりに固定する接合部固定構造に適用することが可能である。
【符号の説明】
【００３３】
１０ 接合部構造
１１ 接合部材
１２ 被接合部材
１２ａ 管体
１３ 接合片部
１３ａフランジ部
１４ 固定用孔部
１５ 固定部材
１５ａ ボルト
１５ｂ ナット
１６ 管状部材
１７ 一対のフランジ部
１８ 管部
１９ 一端部
２０ 環状フランジ部
２１ 孔部
【図１】
2013147906.tif 000003
【図２】
2013147906.tif 000004
【図３】
2013147906.tif 000005